(57)【要約】  認証装置１０は、撮像装置２１を有する携帯型の端末装置２０に備えられている。認証装置１０は、端末装置２０に保持されている顔認証用データに、端末装置２０の撮像装置２１によって撮影されたユーザの顔の顔画像データを照合して、認証を行う、第１の認証部１１と、端末装置２０に保持されている、顔以外の特徴による第２の認証用データを用いて、認証を行う、第２の認証部１２と、第１の認証部１１による認証結果と第２の認証部１２による認証結果とに基づいて、ユーザが予め登録されている人物と一致するかどうか判定する、総合判定部１３と、総合判定部１３による判定の結果を、端末装置２０の画面に表示させる、表示部１４と、を備えている。
2019098205.tif 000002
【特許請求の範囲】
【請求項１】
撮像装置を有する携帯型の端末装置に備えられる認証装置であって、
前記端末装置に保持されている顔認証用データに、前記端末装置の前記撮像装置によって撮影されたユーザの顔の顔画像データを照合して、認証を行う、第１の認証部と、
前記端末装置に保持されている、顔以外の特徴による第２の認証用データを用いて、認証を行う、第２の認証部と、
前記第１の認証部による認証結果と前記第２の認証部による認証結果とに基づいて、前記ユーザが予め登録されている人物と一致するかどうか判定する、総合判定部と、
前記総合判定部による判定の結果を、前記端末装置の画面に表示させる、表示部と、
を備えていることを特徴とする認証装置。
【請求項２】
当該認証装置が、前記端末装置を構成するコンピュータで実行されるプログラムによって構築されており、
前記プログラムには、前記顔認証用データ及び前記第２の認証用データが、予め付加されている、
請求項１に記載の認証装置。
【請求項３】
前記第２の認証用データが、特定の日時を含み、
前記第２の認証部が、前記第２の認証用データに、前記第１の認証部によって認証が行われた日時を照合することによって、認証を行う、
請求項１または２に記載の認証装置。
【請求項４】
前記第２の認証用データが、指定された位置の座標を含み、
前記第２の認証部が、前記第２の認証用データに、前記撮像装置によって前記ユーザの顔が撮影されたときの前記端末装置の位置の座標を照合することによって、認証を行う、請求項１〜３のいずれかに記載の認証装置。
【請求項５】
前記第２の認証用データが、指定された端末装置の識別子を含み、
前記第２の認証部が、前記第２の認証用データに、前記端末装置に付与されている識別子を照合することによって、認証を行う、
請求項１〜４のいずれかに記載の認証装置。
【請求項６】
前記第２の認証用データが、特定の画像データを含み、
前記第２の認証部が前記端末装置の前記撮像装置によって撮影された画像から、前記ユーザの顔以外の部分の画像を抽出し、前記第２の認証用データに、抽出した前記画像を照合することによって、認証を行う、
請求項１〜５のいずれかに記載の認証装置。
【請求項７】
撮像装置を有する携帯型の端末装置を用いた認証方法であって、
（ａ）前記端末装置に保持されている顔認証用データに、前記端末装置の前記撮像装置によって撮影されたユーザの顔の顔画像データを照合して、認証を行う、ステップと、
（ｂ）前記端末装置に保持されている、顔以外の特徴による第２の認証用データを用いて、認証を行う、ステップと、
（ｃ）前記（ａ）のステップによる認証結果と前記（ｂ）のステップによる認証結果とに基づいて、前記ユーザが予め登録されている人物と一致するかどうか判定する、ステップと、
（ｄ）前記（ｃ）のステップによる判定の結果を、前記端末装置の画面に表示させる、ステップと、
を有することを特徴とする認証方法。
【請求項８】
前記（ａ）〜（ｄ）のステップが、前記端末装置を構成するコンピュータによって実行され、前記端末装置が、前記顔認証用データ及び前記第２の認証用データを保持している、
請求項７に記載の認証方法。
【請求項９】
前記第２の認証用データが、特定の日時を含み、
前記（ｂ）のステップにおいて、前記第２の認証用データに、前記（ａ）のステップによって認証が行われた日時を照合することによって、認証を行う、
請求項７または８に記載の認証方法。
【請求項１０】
前記第２の認証用データが、指定された位置の座標を含み、
前記（ｂ）のステップにおいて、前記第２の認証用データに、前記撮像装置によって前記ユーザの顔が撮影されたときの前記端末装置の位置の座標を照合することによって、認証を行う、
請求項７〜９のいずれかに記載の認証方法。
【請求項１１】
前記第２の認証用データが、指定された端末装置の識別子を含み、
前記（ｂ）のステップにおいて、前記第２の認証用データに、前記端末装置に付与されている識別子を照合することによって、認証を行う、
請求項７〜１０のいずれかに記載の認証方法。
【請求項１２】
前記第２の認証用データが、特定の画像データを含み、
前記（ｂ）のステップにおいて、前記端末装置の前記撮像装置によって撮影された画像から、前記ユーザの顔以外の部分の画像を抽出し、前記第２の認証用データに、抽出した前記画像を照合することによって、認証を行う、
請求項７〜１１のいずれかに記載の認証方法。
【請求項１３】
撮像装置を有する携帯型の端末装置を構成する、コンピュータによって認証を行うためのプログラムを記録したコンピュータ読み取り可能な記録媒体であって、
前記コンピュータに、
（ａ）前記端末装置に保持されている顔認証用データに、前記端末装置の前記撮像装置によって撮影されたユーザの顔の顔画像データを照合して、認証を行う、ステップと、
（ｂ）前記端末装置に保持されている、顔以外の特徴による第２の認証用データを用いて、認証を行う、ステップと、
（ｃ）前記（ａ）のステップによる認証結果と前記（ｂ）のステップによる認証結果とに基づいて、前記ユーザが予め登録されている人物と一致するかどうか判定する、ステップと、
（ｄ）前記（ｃ）のステップによる判定の結果を、前記端末装置の画面に表示させる、ステップと、
を実行させる命令を含む、プログラムを記録しているコンピュータ読み取り可能な記録媒体。
【請求項１４】
前記（ａ）〜（ｄ）のステップが、前記端末装置を構成するコンピュータによって実行され、前記端末装置が、前記顔認証用データ及び前記第２の認証用データを保持している、
請求項１３に記載のコンピュータ読み取り可能な記録媒体。
【請求項１５】
前記第２の認証用データが、特定の日時を含み、
前記（ｂ）のステップにおいて、前記第２の認証用データに、前記（ａ）のステップによって認証が行われた日時を照合することによって、認証を行う、
請求項１３または１４に記載のコンピュータ読み取り可能な記録媒体。
【請求項１６】
前記第２の認証用データが、指定された位置の座標を含み、
前記（ｂ）のステップにおいて、前記第２の認証用データに、前記撮像装置によって前記ユーザの顔が撮影されたときの前記端末装置の位置の座標を照合することによって、認証を行う、
請求項１３〜１５のいずれかに記載のコンピュータ読み取り可能な記録媒体。
【請求項１７】
前記第２の認証用データが、指定された端末装置の識別子を含み、
前記（ｂ）のステップにおいて、前記第２の認証用データに、前記端末装置に付与されている識別子を照合することによって、認証を行う、
請求項１３〜１６のいずれかに記載のコンピュータ読み取り可能な記録媒体。
【請求項１８】
前記第２の認証用データが、特定の画像データを含み、
前記（ｂ）のステップにおいて、前記端末装置の前記撮像装置によって撮影された画像から、前記ユーザの顔以外の部分の画像を抽出し、前記第２の認証用データに、抽出した前記画像を照合することによって、認証を行う、
請求項１３〜１７のいずれかに記載のコンピュータ読み取り可能な記録媒体。
【発明の詳細な説明】
【技術分野】
【０００１】
本発明は、本人確認を行うための認証装置、認証方法、及びこれらを実現するためのプログラムを記録したコンピュータ読み取り可能な記録媒体に関する。
【背景技術】
【０００２】
近年、人気の高いコンサートといった大規模イベントにおいて、チケットを買占めて、高額で売買するといった違法転売行為が問題となっている。このようなチケットの違法転売行為に対する対策として、イベント会場では、チケットの購入者と来場者とが、同一人物であることを確認する、本人確認作業が行なわれている。【０００３】
本人確認作業の一例として、一部の来場者に対し、抜き打ちで、購入時に登録された氏名と、来場者の提示する身分証明書の氏名とが、一致しているかどうかを確認する、といった方法が採られている。しかしながら、大規模イベントでは、来場者の数も数万人規模となるため、上記方法では、十分な本人確認を行なうことは困難である。【０００４】
そこで、最近、大規模イベントにおいては、本人確認のため、例えば、非特許文献１に開示されている顔認証を用いたシステムが利用される。非特許文献１で開示されたシステムは、イベント入場者制御システム、顔画像管理システム、及び会場で用いられる認証用端末装置等で構成されている。そして、具体的には、非特許文献１で開示されたシステムは以下に示す処理を実行する。【０００５】
最初に、チケット購入者が、自身の顔画像、氏名等の個人情報、ＩＤ番号等を、イベント入場者制御システムに送信すると、イベント入場者制御システムは、送信されてきた、顔画像及び個人情報等を登録する。次いで、顔画像管理システムは、登録された顔画像から、顔の特徴量を生成し、生成した特徴量を、個人のＩＤ番号と紐付けて、認証用データとして登録する。【０００６】
続いて、イベント当日に、チケット購入者が、会場に入場する際に、設置されているカードリーダを介してチェックインすると、イベント入場者制御システムは、チケット購入者のＩＤ番号を特定し、特定したＩＤ番号を顔画像管理システムに送信する。これにより、顔画像管理システムは、送信されてきたＩＤが紐付けられている認証用データを、認証用端末装置に送信する。【０００７】
その後、会場に待機しているスタッフが、カメラ付の認証用端末装置を用いて、来場したチケット購入者の顔を撮影すると、認証用端末装置は、撮影された顔画像を、送信されてき認証用データに照合して、顔認証を実行する。【０００８】
認証が成功した場合は、認証用端末装置は、画面上に、認証が成功した旨を表示するので、スタッフは、来場したチケット購入者の入場を許可する。このように、非特許文献１に開示されたシステムを用いれば、チケットの購入者と来場者との一致性を簡単に確かめることができ、違法な転売行為を防ぐことができる。
【先行技術文献】
【非特許文献】
【０００９】
【非特許文献１】Okumura,A., Hoshino, T.,Handa, S. and Nishiyama, Y.: Identity Verification of Ticket Holders at Large-scale Events Using Face Recognition, IPSJ Transactions on Consumer Devices & Systems, Vol.7 No.2 (2017/5/25)
【発明の概要】
【発明が解決しようとする課題】
【００１０】
しかしながら、非特許文献１で開示されたシステムでは、顔画像管理システムは、来場者毎に、認証用端末に対して認証用データを送信する必要がある。このため、特に大規模なイベントでは、顔画像管理システムから認証用端末へのデータ量が著しく増加するため、通信回線が混雑し、認証処理が遅延してしまうという問題が発生する。【００１１】
一方、このような問題は、顔画像管理システムの処理速度を高め、大容量の回線を利用すれば解消できるとも考えられるが、この場合は、通信コスト及びシステムの設置コストが増大するという問題が発生する。【００１２】
また、非特許文献１で開示されたシステムを採用した場合は、イベントの規模が大きくなり、来場者の数が増加するほど、必要な認証用端末の数も増加する。このため、この点からも、システムの設置コストは増大してしまう。【００１３】
また、顔画像管理システムが認証用端末に送信する各来場者の認証用データは、顔の特徴量を特定するデータであり、個人データである。このような個人データを、イベント当日に、通信回線を介して、送信することは、個人情報の漏洩の観点から好ましくはない。【００１４】
本発明の目的の一例は、上記問題を解消し、顔画像を用いた認証処理に要するコストの低減と、個人情報の漏洩の抑制とを図り得る、認証装置、認証方法、及びコンピュータ読み取り可能な記録媒体を提供することにある。
【課題を解決するための手段】
【００１５】
上記目的を達成するため、本発明の一側面における認証装置は撮像装置を有する携帯型の端末装置に備えられる認証装置であって、
前記端末装置に保持されている顔認証用データに、前記端末装置の前記撮像装置によって撮影されたユーザの顔の顔画像データを照合して、認証を行う、第１の認証部と、
前記端末装置に保持されている、顔以外の特徴による第２の認証用データを用いて、認証を行う、第２の認証部と、
前記第１の認証部による認証結果と前記第２の認証部による認証結果とに基づいて、前記ユーザが予め登録されている人物と一致するかどうか判定する、総合判定部と、
前記総合判定部による判定の結果を、前記端末装置の画面に表示させる、表示部と、
を備えていることを特徴とする。【００１６】
また、上記目的を達成するため、本発明の一側面における認証方法は、撮像装置を有する携帯型の端末装置を用いた認証方法であって、
（ａ）前記端末装置に保持されている顔認証用データに、前記端末装置の前記撮像装置によって撮影されたユーザの顔の顔画像データを照合して、認証を行う、ステップと、
（ｂ）前記端末装置に保持されている、顔以外の特徴による第２の認証用データを用いて、認証を行う、ステップと、
（ｃ）前記（ａ）のステップによる認証結果と前記（ｂ）のステップによる認証結果とに基づいて、前記ユーザが予め登録されている人物と一致するかどうか判定する、ステップと、
（ｄ）前記（ｃ）のステップによる判定の結果を、前記端末装置の画面に表示させる、ステップと、
を有することを特徴とする。【００１７】
更に、上記目的を達成するため、本発明の一側面におけるコンピュータ読み取り可能な記録媒体は、撮像装置を有する携帯型の端末装置を構成する、コンピュータによって認証を行うためのプログラムを記録したコンピュータ読み取り可能な記録媒体であって、
前記コンピュータに、
（ａ）前記端末装置に保持されている顔認証用データに、前記端末装置の前記撮像装置によって撮影されたユーザの顔の顔画像データを照合して、認証を行う、ステップと、
（ｂ）前記端末装置に保持されている、顔以外の特徴による第２の認証用データを用いて、認証を行う、ステップと、
（ｃ）前記（ａ）のステップによる認証結果と前記（ｂ）のステップによる認証結果とに基づいて、前記ユーザが予め登録されている人物と一致するかどうか判定する、ステップと、
（ｄ）前記（ｃ）のステップによる判定の結果を、前記端末装置の画面に表示させる、ステップと、
を実行させる命令を含む、プログラムを記録していることを特徴とする。
【発明の効果】
【００１８】
以上のように、本発明によれば、顔画像を用いた認証処理に要するコストの低減と個人情報の漏洩の抑制とを図ることができる。
【図面の簡単な説明】
【００１９】
【図１】図１は、本発明の実施の形態における認証装置の構成を示すブロック図である。
【図２】図２は、本発明の実施の形態における認証装置を用いた認証の手順を説明する図である。
【図３】図３は、本発明の実施の形態における認証装置の動作を示すフロー図である。
【図４】図４は、本発明の実施の形態における認証装置を実現するコンピュータの一例を示すブロック図である。
【発明を実施するための形態】
【００２０】
（実施の形態）
以下、本発明の実施の形態における認証装置、認証方法、及びプログラムについて、図１〜図４を参照しながら説明する。
【００２１】
［装置構成］
最初に、図１を用いて、本実施の形態における認証装置の構成について説明する。図１は、本発明の実施の形態における認証装置の構成を示すブロック図である。
【００２２】
図１に示す本実施の形態における認証装置１０は、例えば、イベント等において、本人確認を行うための認証を行うために用いられる。図１０に示すように、認証装置１０は、撮像装置２１を有する携帯型の端末装置２０に備えられている。また、図１に示すように、認証装置１０は、第１の認証部１１と、第２の認証部１２と、総合判定部１３と、表示部１４とを備えている。
【００２３】
第１の認証部１１は、端末装置２０に保持されている顔認証用データに、端末装置２０の撮像装置２１によって撮影されたユーザの顔の顔画像データを照合して、認証を行う。第２の認証部１２は、端末装置２０に保持されている、顔以外の特徴による第２の認証用データを用いて、認証を行う。
【００２４】
総合判定部１３は、第１の認証部１１による認証結果と第２の認証部１２による認証結果とに基づいて、ユーザが予め登録されている人物と一致するかどうか判定する。表示部１４は、総合判定部１３による判定の結果を、端末装置２０の画面に表示させる。
【００２５】
このように、本実施の形態では、撮像装置２１を備えた携帯型の端末装置２０によって認証を行うことができ、端末装置２０としてユーザ自身の端末装置を用いることができる。このため、認証を行う側において認証用端末を用意しなくても良く、認証対象となる人の数が増加しても、認証用のシステムの設置コストの増加は抑制される。また、認証に用いられる顔認証用データ及び第２の認証用データは、端末装置２０に保持されているので、個人情報の漏洩が抑制されると共に、通信コストの増加も抑制される。つまり、本実施の形態によれば、顔画像を用いた認証処理に要するコストの低減と、個人情報の漏洩の抑制とが図られる。
【００２６】
ここで、本実施の形態における認証装置１０の構成についてより具体的に説明する。図１に示すように、本実施の形態では、認証装置１０は、端末装置２０を構成するコンピュータで実行される、プログラムによって構築されている。具体的には、このプログラムは、認証装置１０のオペレーティングシステム２３上で動作するプログラムである。本実施の形態では、オペレーティングシステム２３上でプログラムを実行することにより、認証装置１０が構築される。
【００２７】
また、後述するように、プログラムは、イベントの主催者等によって管理されているサーバ装置３０（後述の図２参照）から送信されてくる。更に、プログラムには、顔認証用データと第２の認証用データとが予め付加されており、プログラムが実行されると、これらのデータは、端末装置２０のメモリ等の記憶装置に保持される。
【００２８】
また、本実施の形態において、第２の認証用データとしては、特定の日時を含むデータが挙げられる。この場合、第２の認証部１２は、第２の認証用データに、第１の認証部によって認証が行われた日時を照合することによって、認証を行う。
【００２９】
更に、第２の認証用データとしては、指定された位置（例えば、イベント会場の位置）の座標を含むデータも挙げられる。この場合、第２の認証部１２は、第２の認証用データに、撮像装置２１によってユーザ４０の顔が撮影されたときの端末装置２０の位置の座標を照合することによって、認証を行う。
【００３０】
加えて、第２の認証用データとしては、指定された端末装置２０の識別子を含むデータも挙げられる。この場合、第２の認証部１２は、第２の認証用データに、端末装置２０に付与されている識別子を照合することによって、認証を行う。
【００３１】
また、第２の認証用データとしては、特定の画像データを含むデータも挙げられる。この場合、第２の認証部１２は、端末装置２０の撮像装置２１によって撮影された画像から、ユーザの顔以外の部分の画像を抽出し、第２の認証用データに、抽出した画像を照合することによって、認証を行う（後述する図２についての説明を参照）。特定の画像としては、イベントの主催者が指定したイラスト、図形、ロゴ等の画像が挙げられる。
【００３２】
また、第２の認証用データは、上述した、特定の日時、指定された位置の座標、指定された端末装置２０の識別子、及び特定の画像データのうち、２つ以上を組み合わせて得られたデータであっても良い。
【００３３】
続いて、図２を用いて、本実施の形態における認証装置１０を用いた認証の手順について説明する。図２は、本発明の実施の形態における認証装置を用いた認証の手順を説明する図である。また、以下においては、認証装置１０が、コンサート等のイベントにおける本人認証に用いられる場合を例に挙げて説明する。
【００３４】
図２に示すように、まず、イベントへの参加を希望するユーザ４０は、自宅等のイベント会場以外の場所において、端末装置２０を用いて、自身のユーザ情報（名前、住所、電話番号等）と、端末装置２０の撮像装置２１で撮影した自身の顔の画像データ（以下「顔画像データ」と表記する）とをサーバ装置３０に送信する。
【００３５】
サーバ装置３０は、ユーザ情報及び顔画像データを受信すると、受信したユーザ情報を登録する。また、サーバ装置３０は、受信した顔画像データから、特徴量を抽出し、抽出した特徴量を用いて顔認証用データを作成し、作成した顔認証用データも登録する。
【００３６】
そして、イベント当日、イベント会場において、ユーザ４０が、端末装置２０を介して、ユーザ情報を送信して、サーバ装置３０に認証を求める。これにより、サーバ装置３０は、送信されてきたユーザ情報が登録されているかどうかを判定する。ユーザ情報が登録されていると、サーバ装置３０は、認証装置１０を構築するためのプログラムに、登録されている顔認証用データと予め設定されている第２の認証用データとを付加し、これらのデータが付加されたプログラムを、端末装置２０に送信する。
【００３７】
端末装置２０でプログラムが受信されると、端末装置２０のオペレーティングシステム２３は、受信されたプログラムをインストールし、これを実行する。これにより、オペレーティングシステム２３上に、認証装置１０が構築される。また、プログラムに予め付加されている、顔認証用データと第２の認証用データとは、端末装置２０のメモリ等の記憶装置に保持される。
【００３８】
その後、ユーザ４０が、顔認証のために、端末装置２０の撮像装置２１を用いて顔を撮影すると、認証装置１０において、第１の認証部１１、及び第２の認証部１２による認証が行われ、更に、総合判定部１３による総合判定が行われる。その後、認証の結果が、表示部１４によって、表示装置２２の画面上に表示される。そして、イベント会場にいる係員５０は、認証が許可されている場合は、ユーザ４０の入場を許可し、認証が許可されていない場合は、ユーザ４０の入場を許可しない。なお、図２において、５１は、第２の認証部１２による認証に使われる図形であり、これについては後述する。
【００３９】
［装置動作］
次に、本実施の形態における認証装置１０の動作について図３を用いて説明する。図３は、本発明の実施の形態における認証装置の動作を示すフロー図である。以下の説明においては、適宜図１及び図２を参酌する。また、本実施の形態では、認証装置１０を動作させることによって、認証方法が実施される。よって、本実施の形態における認証方法の説明は、以下の認証装置１０の動作説明に代える。
【００４０】
まず、前提として、図２で示したように、イベント当日、イベント会場において、ユーザ４０が、端末装置２０を介して、ユーザ情報を送信して、サーバ装置３０に認証を求めるとする。また、これに対応して、サーバ装置３０は、顔認証用データと第２の認証用データとが付加されたプログラムを、端末装置２０に送信し、更に、端末装置２０において、このプログラムが実行され、認証装置１０が構築されているとする。
【００４１】
図３に示すように、まず、ユーザ４０が、撮像装置２１を用いて、自身の顔を撮影すると、第１の認証部１１は、撮像装置２１が出力した顔画像データを取得し、取得した顔画像データを、顔認証用データに照合して認証を実行する（ステップＡ１）。
【００４２】
具体的には、第１の認証部１１は、顔画像データから、ユーザ４０の顔の部分の特徴量を抽出し、抽出した特徴量と顔認証用データで特定される特徴量とを比較し、両者の一致率を算出する。そして、第１の認証部１１は、一致率が閾値以上となる場合は、認証を許可する。
【００４３】
次に、第２の認証部１２は、端末装置２０に保持されている第２の認証用データを用いて、認証を行う（ステップＡ２）。
【００４４】
ここで、第２の認証用データが、イベントの主催者が指定した図形の画像データである場合を例に挙げてステップＡ２を説明する。この場合においては、イベント会場において、ユーザ４０が自身の顔を撮影する場所は指定されており、指定された場所の壁には、指定された図形（図２の例では★）が描かれている。
【００４５】
そして、ユーザ４０は、図２に示すように、壁の図形５１が背景に表示されるように自身の顔を撮影する。この結果、顔画像データには、図形５１の画像も含まれるので、第２の認証部１２は、顔画像データから、図形５１の画像を抽出する。そして、第２の認証部１２は、抽出した図形５１の画像と、第２の認証用データの画像との一致率を求め、求めた一致率が閾値以上となる場合は、認証を許可する。
【００４６】
次に、総合判定部１３は、ステップＡ１における認証結果と、ステップＡ２における認証結果とに基づいて、ユーザ４０が予め登録されている人物と一致するかどうかを判定する（ステップＡ３）。ステップＡ３では、総合判定部１３は、例えば、ステップＡ１及びＡ２の両方において認証が許可されている場合に、ユーザ４０は予め登録されている人物と一致すると判定する。
【００４７】
ステップＡ３の判定の結果、ユーザ４０が予め登録されている人物と一致する場合は、表示部１４は、表示装置２２の画面上に、認証を許可する旨を表示する（ステップＡ４）。この場合、図２に示したように、イベント会場にいる係員５０は、ユーザ４０の入場を許可する。
【００４８】
一方、ステップＡ３の判定の結果、ユーザ４０が予め登録されている人物と一致しない場合は、表示部１４は、表示装置２２の画面上に、認証を許可しない旨を表示する（ステップＡ５）。この場合、図２に示したように、イベント会場にいる係員５０は、ユーザ４０の入場を許可しない。
【００４９】
［実施の形態における効果］
以上のように本実施の形態では、イベントの主催者側で顔認証用の端末を用意する必要がない。また、イベントのために大容量の回線を用意したり、イベント会場に、認証用データを受信したりするためのシステムを設置する必要がない。このため、本実施の形態によれば、顔画像を用いた認証処理に要するコストの低減が図られる。また、イベント会場において、認証用データの通信を行う必要もないため、個人情報の漏洩も抑制できる。更に、本実施の形態では、顔認証だけでなく、顔以外の特徴による認証も行われるため、いっそう厳密な本人確認が可能となるため、不正な入場を確実に抑制できる。
【００５０】
また、本実施の形態における認証装置１０は、イベント会場における来場者の本人確認以外の用途にも利用できる。例えば、認証装置１０は、特定の部屋への入室時の本人確認、特定の建物、施設、飛行機の搭乗口への入場時の本人確認等に用いられても良い。
【００５１】
更に、本実施の形態では、表示部１４は、認証を許可する旨の表示の代わりに、特定の二次元コードを表示しても良い。この態様は、特定の二次元コードで開閉する入場ゲートが設置されている場合に有用である。
【００５２】
また、本実施の形態では、認証装置１０を構成するプログラムは、ステップＡ４又はＡ５の実行後に、自身が削除されるように構成されていても良い。これにより、第３者による悪用が抑制される。
【００５３】
［プログラム］
本実施の形態におけるプログラムは、コンピュータに、図４に示すステップＡ１〜Ａ５を実行させるプログラムであれば良い。このプログラムをコンピュータにインストールし、実行することによって、本実施の形態における認証装置１０と認証方法とを実現することができる。この場合、コンピュータのプロセッサは、第１の認証部１１、第２の認証部１２、総合判定部１３、及び表示部１４として機能し、処理を行なう。また、コンピュータとしては、スマートフォン、タブレット型端末といった端末装置を構成するコンピュータが挙げられる。
【００５４】
ここで、本実施の形態におけるプログラムを実行することによって、認証装置１０を実現するコンピュータの一例について図４を用いて説明する。図４は、本発明の実施の形態における認証装置を実現するコンピュータの一例を示すブロック図である。
【００５５】
図４に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。また、コンピュータ１１０は、ＣＰＵ１１１に加えて、又はＣＰＵ１１１に代えて、ＧＰＵ（Graphics Processing Unit）、又はＦＰＧＡ（Field-Programmable Gate Array）を備えていても良い。
【００５６】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。
【００５７】
また、本実施の形態におけるプログラムは、上述したようにネットワークを介して送信されてきても良いし、コンピュータ読み取り可能な記録媒体１２０に格納された状態で提供されても良い。
【００５８】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００５９】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００６０】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００６１】
なお、本実施の形態における認証装置１０は、一部がプログラムで実現され、残りの部分がハードウェアで実現されていてもよい。
【００６２】
上述した実施の形態の一部又は全部は、以下に記載する（付記１）〜（付記１８）によって表現することができるが、以下の記載に限定されるものではない。
【００６３】
（付記１）
撮像装置を有する携帯型の端末装置に備えられる認証装置であって、
前記端末装置に保持されている顔認証用データに、前記端末装置の前記撮像装置によって撮影されたユーザの顔の顔画像データを照合して、認証を行う、第１の認証部と、
前記端末装置に保持されている、顔以外の特徴による第２の認証用データを用いて、認証を行う、第２の認証部と、
前記第１の認証部による認証結果と前記第２の認証部による認証結果とに基づいて、前記ユーザが予め登録されている人物と一致するかどうか判定する、総合判定部と、
前記総合判定部による判定の結果を、前記端末装置の画面に表示させる、表示部と、
を備えていることを特徴とする認証装置。
【００６４】
（付記２）
当該認証装置が、前記端末装置を構成するコンピュータで実行されるプログラムによって構築されており、
前記プログラムには、前記顔認証用データ及び前記第２の認証用データが、予め付加されている、
付記１に記載の認証装置。
【００６５】
（付記３）
前記第２の認証用データが、特定の日時を含み、
前記第２の認証部が、前記第２の認証用データに、前記第１の認証部によって認証が行われた日時を照合することによって、認証を行う、
付記１または２に記載の認証装置。
【００６６】
（付記４）
前記第２の認証用データが、指定された位置の座標を含み、
前記第２の認証部が、前記第２の認証用データに、前記撮像装置によって前記ユーザの顔が撮影されたときの前記端末装置の位置の座標を照合することによって、認証を行う、付記１〜３のいずれかに記載の認証装置。
【００６７】
（付記５）
前記第２の認証用データが、指定された端末装置の識別子を含み、
前記第２の認証部が、前記第２の認証用データに、前記端末装置に付与されている識別子を照合することによって、認証を行う、
付記１〜４のいずれかに記載の認証装置。
【００６８】
（付記６）
前記第２の認証用データが、特定の画像データを含み、
前記第２の認証部が前記端末装置の前記撮像装置によって撮影された画像から、前記ユーザの顔以外の部分の画像を抽出し、前記第２の認証用データに、抽出した前記画像を照合することによって、認証を行う、
付記１〜５のいずれかに記載の認証装置。
【００６９】
（付記７）
撮像装置を有する携帯型の端末装置を用いた認証方法であって、
（ａ）前記端末装置に保持されている顔認証用データに、前記端末装置の前記撮像装置によって撮影されたユーザの顔の顔画像データを照合して、認証を行う、ステップと、
（ｂ）前記端末装置に保持されている、顔以外の特徴による第２の認証用データを用いて、認証を行う、ステップと、
（ｃ）前記（ａ）のステップによる認証結果と前記（ｂ）のステップによる認証結果とに基づいて、前記ユーザが予め登録されている人物と一致するかどうか判定する、ステップと、
（ｄ）前記（ｃ）のステップによる判定の結果を、前記端末装置の画面に表示させる、ステップと、
を有することを特徴とする認証方法。
【００７０】
（付記８）
前記（ａ）〜（ｄ）のステップが、前記端末装置を構成するコンピュータによって実行され、前記端末装置が、前記顔認証用データ及び前記第２の認証用データを保持している、
付記７に記載の認証方法。
【００７１】
（付記９）
前記第２の認証用データが、特定の日時を含み、
前記（ｂ）のステップにおいて、前記第２の認証用データに、前記（ａ）のステップによって認証が行われた日時を照合することによって、認証を行う、
付記７または８に記載の認証方法。
【００７２】
（付記１０）
前記第２の認証用データが、指定された位置の座標を含み、
前記（ｂ）のステップにおいて、前記第２の認証用データに、前記撮像装置によって前記ユーザの顔が撮影されたときの前記端末装置の位置の座標を照合することによって、認証を行う、
付記７〜９のいずれかに記載の認証方法。
【００７３】
（付記１１）
前記第２の認証用データが、指定された端末装置の識別子を含み、
前記（ｂ）のステップにおいて、前記第２の認証用データに、前記端末装置に付与されている識別子を照合することによって、認証を行う、
付記７〜１０のいずれかに記載の認証方法。
【００７４】
（付記１２）
前記第２の認証用データが、特定の画像データを含み、
前記（ｂ）のステップにおいて、前記端末装置の前記撮像装置によって撮影された画像から、前記ユーザの顔以外の部分の画像を抽出し、前記第２の認証用データに、抽出した前記画像を照合することによって、認証を行う、
付記７〜１１のいずれかに記載の認証方法。
【００７５】
（付記１３）
撮像装置を有する携帯型の端末装置を構成する、コンピュータによって認証を行うためのプログラムを記録したコンピュータ読み取り可能な記録媒体であって、
前記コンピュータに、
（ａ）前記端末装置に保持されている顔認証用データに、前記端末装置の前記撮像装置によって撮影されたユーザの顔の顔画像データを照合して、認証を行う、ステップと、
（ｂ）前記端末装置に保持されている、顔以外の特徴による第２の認証用データを用いて、認証を行う、ステップと、
（ｃ）前記（ａ）のステップによる認証結果と前記（ｂ）のステップによる認証結果とに基づいて、前記ユーザが予め登録されている人物と一致するかどうか判定する、ステップと、
（ｄ）前記（ｃ）のステップによる判定の結果を、前記端末装置の画面に表示させる、ステップと、
を実行させる命令を含む、プログラムを記録しているコンピュータ読み取り可能な記録媒体。
【００７６】
（付記１４）
前記（ａ）〜（ｄ）のステップが、前記端末装置を構成するコンピュータによって実行され、前記端末装置が、前記顔認証用データ及び前記第２の認証用データを保持している、
付記１３に記載のコンピュータ読み取り可能な記録媒体。
【００７７】
（付記１５）
前記第２の認証用データが、特定の日時を含み、
前記（ｂ）のステップにおいて、前記第２の認証用データに、前記（ａ）のステップによって認証が行われた日時を照合することによって、認証を行う、
付記１３または１４に記載のコンピュータ読み取り可能な記録媒体。
【００７８】
（付記１６）
前記第２の認証用データが、指定された位置の座標を含み、
前記（ｂ）のステップにおいて、前記第２の認証用データに、前記撮像装置によって前記ユーザの顔が撮影されたときの前記端末装置の位置の座標を照合することによって、認証を行う、
付記１３〜１５のいずれかに記載のコンピュータ読み取り可能な記録媒体。
【００７９】
（付記１７）
前記第２の認証用データが、指定された端末装置の識別子を含み、
前記（ｂ）のステップにおいて、前記第２の認証用データに、前記端末装置に付与されている識別子を照合することによって、認証を行う、
付記１３〜１６のいずれかに記載のコンピュータ読み取り可能な記録媒体。
【００８０】
（付記１８）
前記第２の認証用データが、特定の画像データを含み、
前記（ｂ）のステップにおいて、前記端末装置の前記撮像装置によって撮影された画像から、前記ユーザの顔以外の部分の画像を抽出し、前記第２の認証用データに、抽出した前記画像を照合することによって、認証を行う、
付記１３〜１７のいずれかに記載のコンピュータ読み取り可能な記録媒体。
【００８１】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００８２】
この出願は、２０１７年１１月１５日に出願された日本出願特願２０１７−２２０３６０を基礎とする優先権を主張し、その開示の全てをここに取り込む。
【産業上の利用可能性】
【００８３】
以上のように、本発明によれば、顔画像を用いた認証処理に要するコストの低減と個人情報の漏洩の抑制とを図ることができる。本発明は、イベント等における来場者の本人確認、特定の部屋への入室時の本人確認、特定の建物、施設、飛行機の搭乗口への入場時の本人確認に有用である。
【符号の説明】
【００８４】
１０  認証装置
１１  第１の認証部
１２  第２の認証部
１３  総合判定部
１４  表示部
２０  端末装置
２１  撮像装置
２２  表示装置
２３  オペレーティングシステム
３０  サーバ装置
４０  ユーザ
５０  イベント会場の係員
５１  第２の認証用の図形
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2019098205.tif 000003
【図２】
2019098205.tif 000004
【図３】
2019098205.tif 000005
【図４】
2019098205.tif 000006
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
撮像装置を有する携帯型の端末装置に備えられる認証装置であって、
前記端末装置に保持されている顔認証用データに、前記端末装置の前記撮像装置によって撮影されたユーザの顔の顔画像データを照合して、認証を行う、第１の認証部と、
前記端末装置に保持されている、顔以外の特徴による第２の認証用データを用いて、認証を行う、第２の認証部と、
前記第１の認証部による認証結果と前記第２の認証部による認証結果とに基づいて、前記ユーザが予め登録されている人物と一致するかどうか判定する、総合判定部と、
前記総合判定部による判定の結果を、前記端末装置の画面に表示させる、表示部と、
を備えていることを特徴とする認証装置。
【請求項２】
当該認証装置が、前記端末装置を構成するコンピュータで実行されるプログラムによって構築されており、
前記プログラムには、前記顔認証用データ及び前記第２の認証用データが、予め付加されている、
請求項１に記載の認証装置。
【請求項３】
前記第２の認証用データが、特定の日時を含み、
前記第２の認証部が、前記第２の認証用データに、前記第１の認証部によって認証が行われた日時を照合することによって、認証を行う、
請求項１または２に記載の認証装置。
【請求項４】
前記第２の認証用データが、指定された位置の座標を含み、
前記第２の認証部が、前記第２の認証用データに、前記撮像装置によって前記ユーザの顔が撮影されたときの前記端末装置の位置の座標を照合することによって、認証を行う、請求項１〜３のいずれかに記載の認証装置。
【請求項５】
前記第２の認証用データが、指定された端末装置の識別子を含み、
前記第２の認証部が、前記第２の認証用データに、前記端末装置に付与されている識別子を照合することによって、認証を行う、
請求項１〜４のいずれかに記載の認証装置。
【請求項６】
前記第２の認証用データが、特定の画像データを含み、
前記第２の認証部が前記端末装置の前記撮像装置によって撮影された画像から、前記ユーザの顔以外の部分の画像を抽出し、前記第２の認証用データに、抽出した前記画像を照合することによって、認証を行う、
請求項１〜５のいずれかに記載の認証装置。
【請求項７】
撮像装置を有する携帯型の端末装置を用いた認証方法であって、
（ａ）前記端末装置に保持されている顔認証用データに、前記端末装置の前記撮像装置によって撮影されたユーザの顔の顔画像データを照合して、認証を行う、ステップと、
（ｂ）前記端末装置に保持されている、顔以外の特徴による第２の認証用データを用いて、認証を行う、ステップと、
（ｃ）前記（ａ）のステップによる認証結果と前記（ｂ）のステップによる認証結果とに基づいて、前記ユーザが予め登録されている人物と一致するかどうか判定する、ステップと、
（ｄ）前記（ｃ）のステップによる判定の結果を、前記端末装置の画面に表示させる、ステップと、
を有することを特徴とする認証方法。
【請求項８】
前記（ａ）〜（ｄ）のステップが、前記端末装置を構成するコンピュータによって実行され、前記端末装置が、前記顔認証用データ及び前記第２の認証用データを保持している、
請求項７に記載の認証方法。
【請求項９】
前記第２の認証用データが、特定の日時を含み、
前記（ｂ）のステップにおいて、前記第２の認証用データに、前記（ａ）のステップによって認証が行われた日時を照合することによって、認証を行う、
請求項７または８に記載の認証方法。
【請求項１０】
前記第２の認証用データが、指定された位置の座標を含み、
前記（ｂ）のステップにおいて、前記第２の認証用データに、前記撮像装置によって前記ユーザの顔が撮影されたときの前記端末装置の位置の座標を照合することによって、認証を行う、
請求項７〜９のいずれかに記載の認証方法。
【請求項１１】
前記第２の認証用データが、指定された端末装置の識別子を含み、
前記（ｂ）のステップにおいて、前記第２の認証用データに、前記端末装置に付与されている識別子を照合することによって、認証を行う、
請求項７〜１０のいずれかに記載の認証方法。
【請求項１２】
前記第２の認証用データが、特定の画像データを含み、
前記（ｂ）のステップにおいて、前記端末装置の前記撮像装置によって撮影された画像から、前記ユーザの顔以外の部分の画像を抽出し、前記第２の認証用データに、抽出した前記画像を照合することによって、認証を行う、
請求項７〜１１のいずれかに記載の認証方法。
【請求項１３】
撮像装置を有する携帯型の端末装置を構成する、コンピュータによって認証を行うためのプログラムであって、
前記コンピュータに、
（ａ）前記端末装置に保持されている顔認証用データに、前記端末装置の前記撮像装置によって撮影されたユーザの顔の顔画像データを照合して、認証を行う、ステップと、
（ｂ）前記端末装置に保持されている、顔以外の特徴による第２の認証用データを用いて、認証を行う、ステップと、
（ｃ）前記（ａ）のステップによる認証結果と前記（ｂ）のステップによる認証結果とに基づいて、前記ユーザが予め登録されている人物と一致するかどうか判定する、ステップと、
（ｄ）前記（ｃ）のステップによる判定の結果を、前記端末装置の画面に表示させる、ステップと、
を実行させる、プログラム。
【請求項１４】
前記（ａ）〜（ｄ）のステップが、前記端末装置を構成するコンピュータによって実行され、前記端末装置が、前記顔認証用データ及び前記第２の認証用データを保持している、
請求項１３に記載のプログラム。
【請求項１５】
前記第２の認証用データが、特定の日時を含み、
前記（ｂ）のステップにおいて、前記第２の認証用データに、前記（ａ）のステップによって認証が行われた日時を照合することによって、認証を行う、
請求項１３または１４に記載のプログラム。
【請求項１６】
前記第２の認証用データが、指定された位置の座標を含み、
前記（ｂ）のステップにおいて、前記第２の認証用データに、前記撮像装置によって前記ユーザの顔が撮影されたときの前記端末装置の位置の座標を照合することによって、認証を行う、
請求項１３〜１５のいずれかに記載のプログラム。
【請求項１７】
前記第２の認証用データが、指定された端末装置の識別子を含み、
前記（ｂ）のステップにおいて、前記第２の認証用データに、前記端末装置に付与されている識別子を照合することによって、認証を行う、
請求項１３〜１６のいずれかに記載のプログラム。
【請求項１８】
前記第２の認証用データが、特定の画像データを含み、
前記（ｂ）のステップにおいて、前記端末装置の前記撮像装置によって撮影された画像から、前記ユーザの顔以外の部分の画像を抽出し、前記第２の認証用データに、抽出した前記画像を照合することによって、認証を行う、
請求項１３〜１７のいずれかに記載のプログラム。
【手続補正３】
【補正対象書類名】明細書
【補正対象項目名】０００１
【補正方法】変更
【補正の内容】
【０００１】
本発明は、本人確認を行うための認証装置、認証方法、及びこれらを実現するためのプログラムに関する。
【手続補正４】
【補正対象書類名】明細書
【補正対象項目名】００１４
【補正方法】変更
【補正の内容】
【００１４】
本発明の目的の一例は、上記問題を解消し、顔画像を用いた認証処理に要するコストの低減と、個人情報の漏洩の抑制とを図り得る、認証装置、認証方法、及びプログラムを提供することにある。
【手続補正５】
【補正対象書類名】明細書
【補正対象項目名】００１７
【補正方法】変更
【補正の内容】
【００１７】
更に、上記目的を達成するため、本発明の一側面におけるプログラムは、撮像装置を有する携帯型の端末装置を構成する、コンピュータによって認証を行うためのプログラムであって、
前記コンピュータに、
（ａ）前記端末装置に保持されている顔認証用データに、前記端末装置の前記撮像装置によって撮影されたユーザの顔の顔画像データを照合して、認証を行う、ステップと、
（ｂ）前記端末装置に保持されている、顔以外の特徴による第２の認証用データを用いて、認証を行う、ステップと、
（ｃ）前記（ａ）のステップによる認証結果と前記（ｂ）のステップによる認証結果とに基づいて、前記ユーザが予め登録されている人物と一致するかどうか判定する、ステップと、
（ｄ）前記（ｃ）のステップによる判定の結果を、前記端末装置の画面に表示させる、ステップと、
を実行させる、ことを特徴とする。
【手続補正６】
【補正対象書類名】明細書
【補正対象項目名】００７５
【補正方法】変更
【補正の内容】
【００７５】
（付記１３）
撮像装置を有する携帯型の端末装置を構成する、コンピュータによって認証を行うためのプログラムであって、
前記コンピュータに、
（ａ）前記端末装置に保持されている顔認証用データに、前記端末装置の前記撮像装置によって撮影されたユーザの顔の顔画像データを照合して、認証を行う、ステップと、
（ｂ）前記端末装置に保持されている、顔以外の特徴による第２の認証用データを用いて、認証を行う、ステップと、
（ｃ）前記（ａ）のステップによる認証結果と前記（ｂ）のステップによる認証結果とに基づいて、前記ユーザが予め登録されている人物と一致するかどうか判定する、ステップと、
（ｄ）前記（ｃ）のステップによる判定の結果を、前記端末装置の画面に表示させる、ステップと、
を実行させる、プログラム。
【手続補正７】
【補正対象書類名】明細書
【補正対象項目名】００７６
【補正方法】変更
【補正の内容】
【００７６】
（付記１４）
前記（ａ）〜（ｄ）のステップが、前記端末装置を構成するコンピュータによって実行され、前記端末装置が、前記顔認証用データ及び前記第２の認証用データを保持している、
付記１３に記載のプログラム。
【手続補正８】
【補正対象書類名】明細書
【補正対象項目名】００７７
【補正方法】変更
【補正の内容】
【００７７】
（付記１５）
前記第２の認証用データが、特定の日時を含み、
前記（ｂ）のステップにおいて、前記第２の認証用データに、前記（ａ）のステップによって認証が行われた日時を照合することによって、認証を行う、
付記１３または１４に記載のプログラム。
【手続補正９】
【補正対象書類名】明細書
【補正対象項目名】００７８
【補正方法】変更
【補正の内容】
【００７８】
（付記１６）
前記第２の認証用データが、指定された位置の座標を含み、
前記（ｂ）のステップにおいて、前記第２の認証用データに、前記撮像装置によって前記ユーザの顔が撮影されたときの前記端末装置の位置の座標を照合することによって、認証を行う、
付記１３〜１５のいずれかに記載のプログラム。
【手続補正１０】
【補正対象書類名】明細書
【補正対象項目名】００７９
【補正方法】変更
【補正の内容】
【００７９】
（付記１７）
前記第２の認証用データが、指定された端末装置の識別子を含み、
前記（ｂ）のステップにおいて、前記第２の認証用データに、前記端末装置に付与されている識別子を照合することによって、認証を行う、
付記１３〜１６のいずれかに記載のプログラム。
【手続補正１１】
【補正対象書類名】明細書
【補正対象項目名】００８０
【補正方法】変更
【補正の内容】
【００８０】
（付記１８）
前記第２の認証用データが、特定の画像データを含み、
前記（ｂ）のステップにおいて、前記端末装置の前記撮像装置によって撮影された画像から、前記ユーザの顔以外の部分の画像を抽出し、前記第２の認証用データに、抽出した前記画像を照合することによって、認証を行う、
付記１３〜１７のいずれかに記載のプログラム。
【国際調査報告】
2019098205.tif 000007
2019098205.tif 000008
2019098205.tif 000009
2019098205.tif 000010